(57)【要約】【課題】  防砂性、防水性、および防塵性に優れ、防犯性、意匠性に優れた開口部装置を提供する。【解決手段】  四辺の枠体と、この枠体内に配置された複数の障子とを備えるとともに、前記複数の障子のうち少なくとも１枚の障子は左右方向に移動可能に構成された開口部装置であって、室内側障子の内召合わせ框内に収容可能な鍵片と、室外側障子に設けられた鍵受けとを備え、前記内召合わせ框の室外側の面に、前記鍵片が前記内召合わせ框内から突出して前記鍵受けに係合可能なように、窓部を設け、前記窓部に、前記室内外の障子の開動作に伴って閉じ、前記室内外の障子の閉動作に伴って開く開閉手段を設ける。【選択図】      図１
2006118133.tif 000002
【特許請求の範囲】
【請求項１】
四辺の枠体と、この枠体内に配置された複数の障子とを備えるとともに、前記複数の障子のうち少なくとも１枚の障子は左右方向に移動可能に構成された開口部装置であって、
室内側障子の内召合わせ框内に収容可能な鍵片と、室外側障子に設けられた鍵受けとを備え、
前記内召合わせ框の室外側の面には、前記鍵片が前記内召合わせ框内から突出して前記鍵受けに係合可能なように、窓部が設けられており、
前記窓部が、前記室内外の障子の開動作に伴って閉じ、前記室内外の障子の閉動作に伴って開く開閉手段を有している、開口部装置。
【請求項２】
前記開閉手段が、前記窓部を開閉するように見付方向に摺動自在に取り付けられた移動部材と、この移動部材を前記開閉手段が閉じる方向に付勢する弾性部材とを備え、
前記外召合わせ框の室内側の面に設けた突片が、前記内外の障子の閉動作に伴って、前記移動部材を前記弾性部材の付勢に抗して押圧し、前記開閉手段を開く、請求項１に記載の開口部装置。
【発明の詳細な説明】
【技術分野】
【０００１】
本発明は、サッシ等の開口部装置に関し、特に、框内への異物の侵入を防止し、防犯性が高く、意匠性に優れた施錠装置を有する開口部装置に関する。
【背景技術】
【０００２】
一般的なサッシ等の開口部装置においては、施錠装置は、障子の召合わせ框の側面側の表面に取り付けられていることが多い。このような場合、施錠されているかどうか、および施錠装置の位置を、外部から容易に確認することができ、防犯上問題があった。
【０００３】
特許文献１には、防犯性が高く、デザイン性に優れたサッシ窓の施錠装置を提供すべく、内障子の内召合わせ框の内部に格納された鍵本体と、外障子の外召合わせ框に設けられた鍵受けとからなるサッシ窓の施錠装置が記載されている。
【特許文献１】特開２００３−３７１６号公報
【発明の開示】
【発明が解決しようとする課題】
【０００４】
特許文献１に記載のサッシ窓の施錠装置は、鍵本体、および鍵受けからなり、このうちの鍵本体は、内召合わせ框内に格納されている。この鍵本体には、前記鍵受けに係合させる鍵片が設けられており、この鍵片を鍵受けに係合させるために、かかる鍵本体格納部は、室外に通じている窓を有している必要がある。
【０００５】
しかし、このような構造の施錠装置においては、特に、障子を解放した時に、上記窓が室外に露出されることになり、この窓から框内に砂、水、塵等が浸入し、施錠装置の品質が低下したり、サッシ内に砂等が堆積したり、また、サッシを通して室内に砂等が侵入するといった問題があった。
【０００６】
そこで、本発明は、このような問題を解決することができる、防砂性、防水性、および防塵性に優れ、防犯性、意匠性に優れた開口部装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１の発明は、四辺の枠体（１０）と、この枠体内に配置された複数の障子とを備えるとともに、前記複数の障子のうち少なくとも１枚の障子は左右方向に移動可能に構成された開口部装置であって、室内側障子（２０）（以下、「内障子２０」ということがある。）の内召合わせ框（２２）内に収容可能な鍵片（５２）と、室外側障子（３０）（以下、「外障子３０」ということがある。）に設けられた鍵受け（６０）とを備え、前記内召合わせ框（２２）の室外側の面（２４）には、前記鍵片（５２）が前記内召合わせ框（２２）内から突出して前記鍵受け（６０）に係合可能なように、窓部（２８）が設けられており、前記窓部（２８）が、前記室内外の障子（２０、３０）の開動作に伴って閉じ、前記室内外の障子（２０、３０）の閉動作に伴って開く開閉手段（７０）を有している、開口部装置（１００）である。
【０００９】
請求項２の発明は、前記開閉手段（７０）が、前記窓部（２８）を開閉するように見付方向に摺動自在に取り付けられた移動部材（７４）と、この移動部材（７４）を前記開閉手段（７０）が閉じる方向に付勢する弾性部材とを備え、前記外召合わせ框（３２）の室内側の面（３４）に設けた突片（７６）が、前記内外の障子（２０、３０）の閉動作に伴って、前記移動部材（７４）を前記弾性部材の付勢に抗して押圧し、前記開閉手段（７０）を開く、請求項１に記載の開口部装置（１００）である。
【発明の効果】
【００１０】
請求項１の発明によれば、障子が開いた状態においては、開閉手段により、窓部が塞がれ、内召合わせ框の内部と室外とが遮断され、開口部装置を防塵性、防水性、および防砂性に優れたものとすることができる。また、障子が開いた状態では、窓部が塞がれているので、鍵片が突出することができず、障子が開いた状態において誤って施錠操作をすることが防止される。一方、障子が閉じられると、窓部が開かれるので、鍵片が内召合わせ框内部から室外方向に突出して、鍵受けに係合することが可能となる。また、内召合わせ框内部に鍵本体を格納し、外召合わせ框内部に鍵受けを格納することができるので、開口部装置を防犯性および意匠性に優れたものとすることができる。
【００１１】
請求項２の発明によれば、障子の開閉動作に伴って開閉するシンプルな構造の開閉手段により、開口部装置に効果的に、防塵性、防水性、および防砂性を付与することができる。
【発明を実施するための最良の形態】
【００１２】
以下本発明を図面に示す実施形態に基づき説明する。
本発明の開口部装置１００は、四辺の枠体１０と、この枠体内に配置された複数の障子と、施錠装置４０とを備えている。障子としては、典型的には、内障子２０および外障子３０からなる左右二枚の引き違い障子を挙げることができるが、召合わせ框を有する障子であればよく、四枚障子等であってもよいし、あるいは、内障子２０または外障子３０のいずれかが固定されている片引き障子であってもよい。
【００１３】
図１は、本発明の一実施形態の開口部装置１００を室内側から見た斜視図である。図示した実施形態においては、左右二枚の内障子２０および外障子３０が、四辺の枠体１０内を左右方向に移動可能に構成されている。内障子２０および外障子３０における召合わせ框２２、３２には、施錠装置４０が設けられている。
【００１４】
図２は、施錠装置４０の箇所を拡大して示した、室内側から見た斜視図である。また、図３は、図２において、内召合わせ框２２を取り外して、内召合わせ框２２内の鍵本体５０を露出させて、外召合わせ框３２とともに示した図である。また、図４は、図２において、内召合わせ框２２および外召合わせ框３２を取り外して、内召合わせ框２２内の鍵本体５０および外召合わせ框３２内の鍵受け６０を露出させた図である。
【００１５】
施錠装置４０は、鍵本体５０および鍵受け６０から構成され、鍵本体５０は内召合わせ框２２内に格納および固定され、鍵受け６０は外召合わせ框３２内に格納および固定されている。鍵本体５０および鍵受け６０が係合されることによって、本発明の開口部装置は、施錠される。このように、施錠装置４０が召合わせ框内２２、３２に格納された構造を有しているので、施錠されているかどうか、および施錠装置４０の位置を室外から確認することができないので、防犯上優れた開口部装置１００とすることができる。
【００１６】
図２に示すように、施錠装置４０の操作窓４２が内召し合わせ框２２の室内側の正面２６に設けられ、ここから、施錠、開錠を操作する。操作窓４２には、スライドカバー等の蓋４４が設けられている。この蓋４４により、室内側から鍵本体５０を視認できず、内召し合わせ框２２をすっきりした構造とすることができ、意匠性の優れた開口部装置１００とすることができる。また、外部から進入しようとして、窓ガラスを割って、施錠装置４０を解錠または破錠しようとする場合には、蓋４４が存在するので、鍵本体５０に直接触れることができず、二次防犯にも役立つものである。また、図２に示した、蓋４４の上部に鍵４６が、蓋４４を施錠する三次防犯部材として設けられている。
【００１７】
図５に、鍵本体５０を、図１の左方向から見た側面図を示す。図５ａは、開錠状態を示し、図５ｂは、施錠状態を示している。鍵本体５０は、固定金具５１ａ、５１ｂにより内召し合わせ框２２の内部に固定されている。鍵本体５０は、台座５３、支軸５４、施錠・開錠の操作を行うレバー部５５、および鍵受け６０に係合させる鍵片５２を備えている。台座５３は、内召し合わせ框２２に固定され、この台座５３に障子の移動方向と平行かつ水平方向に支軸５４が設けられ、この支軸５４にレバー部５５が回動可能に取り付けられている。
【００１８】
レバー部５５は、室外側の端部が支軸５４により軸支され、室内側の端部に摘みが設けられた棒状部材である。レバー部５５の中央部付近から室外側に向けて、縦断面略半円弧形の錠片５２が延出するように設けられている。レバー部５５は、直線形状であってもよいが、図示したように、湾曲を有していてもよく、この場合、内召し合わせ框２２室内方向への高さが低くても、レバー部５５を内召し合わせ框２２内に格納することができる。
【００１９】
レバー部５５と鍵片５２とは、一体に形成されており（複数の部材が一体に組み立てられている場合を含む。）、レバー５５を操作することにより、鍵片５２が支軸５４のまわりに回動されつつ室外側に突出し、外障子３０に設けられた鍵受け６０に係合されることにより、開口部装置１００の施錠がなされるとともに、外障子３０が内障子２０側に引き寄せられて、室内外の気密性および水密性が向上される。
【００２０】
図６に、内召し合わせ框２２を室外方向から見た斜視図を示す。内召し合わせ框２２の室外側の面２４には、窓部２８が設けられている。この窓部２８からは、上記で説明した鍵本体５０の鍵片５２が室外方向へ突出し、外召し合わせ框３２内部に格納された鍵受け６０の係合部６２に係合される。
【００２１】
図６に一実施形態を示すように、内召し合わせ框２２の室外側の面２４には、窓部２８を覆うように開閉手段７０が設けられている。開閉手段７０は、固定部材７２と、この固定部材７２に対して見付方向に摺動自在に取り付けられた移動部材７４とを備えている。移動部材７４は、固定部材７２の見付方向に設けられた案内溝７２ａ、７２ｂ内を見付方向に摺動移動されるガイド板７４ａ、７４ｂと、窓部２８の開閉を行うシャッター７４ｃとを備えている。ガイド板７４ａ、７４ｂとシャッター７４ｃとは、一体に形成されている。
【００２２】
固定部材７２の開口は、窓部２８を構成しており、固定金具７１ａ、７１ｂにより内召し合わせ框２２の室外側の面２４に固定される。開閉手段７０は、移動部材７４が、見付方向に摺動することにより、窓部２８が開閉する構造となっており、窓部２８が閉じる方向に移動部材７４が不図示の弾性部材によって付勢されている。図６は、弾性部材の付勢により開閉手段７０が閉じた状態を示している。
【００２３】
図７に一実施形態を示すように、外召し合わせ框３２の室内側の面３４には、突片７６が、鍵受け６０の近傍に設けられている。突片７６は、上端部７６ａ、下端部７６ｂを有し、固定金具７７ａ、７７ｂにより外召合わせ框３２の室内側の面３４に固定されている。突片７６は、外召合わせ框３２の室内側の面３４からさらにその厚さの分だけ室内方向に突出している。内外の障子２０、３０の閉動作の際に、移動部材７４のガイド板７４ａ、７４ｂは、それぞれ突片７６の上端部７６ａおよび下端部７６ｂに当接される。そして、さらに内外の障子２０、３０を閉方向に移動させると、移動部材７４は、突片７６に押されて、弾性部材の付勢に抗して開閉手段７０が開く方向に移動し、窓部２８が露出する。
【００２４】
図７に一実施形態を示すように、鍵受け６０は、鍵本体５０の鍵片５２を係合させる係合部６２を有し、この係合部６２が外召合わせ框３２の室内側の面３４から室内側に露出するように、外召合わせ框３２内部に格納される。鍵受け６０は、係合部６２が鍵本体５０の支軸５４とほぼ同じ高さになるように、外召し合わせ框３２の室内側の面３４に固定金具６１ａ、６１ｂにより固定される。鍵受け６０の上下位置および左右位置の微妙な調整については、外召し合わせ框３２における図１の左側の側面３６に設けた調整窓６４から操作して、調整することができる。
【００２５】
以上のように構成された開口部装置１００においては、内外の障子２０、３０が開いた状態においては、上記で説明したように、窓部２８が閉じる方向に移動部材７４が弾性部材によって付勢されているため、開閉手段７０は閉じており、窓部２８は移動部材７４のシャッター７４ｃによって塞がれている。これにより、室外と内召合わせ框２２の内部が遮断されているので、塵、水、砂等が浸入するのを防ぐことができる。また、内外の障子２０、３０が、開いた状態においては、鍵片５２は、シャッター７４ｃにぶつかるため、窓部２８から突出することができず、鍵本体５０を施錠するように操作することはできない。これにより、障子がきちんと閉まっていない状態において、誤って施錠操作をしてしまうことを防止することができる。
【００２６】
内外の障子２０、３０を閉方向に移動すると、上記で説明したように、外召合わせ框３２の室内側の面３４に設けた突片７６が、移動部材７４を、弾性部材の付勢に抗して押圧し、開閉手段７０を開く。これにより、内外の障子２０、３０が閉まった状態においては、開閉手段７０が開き、窓部２８が露出した状態となっている。この状態において、鍵片５２が窓部２８から室外方向に突出することができるので、鍵本体５０を施錠するように操作することができる。
【００２７】
施錠操作は、レバー部５５の摘みを、下方（図５ａの状態）から上方（図５ｂの状態）に移動させることによって行われる。これにより、鍵片５２が窓部２８から室外側へと突出し、鍵受け６０の係合部６２に係合して施錠される。鍵片５２は、室外側の端部に近づく程、支軸５４との距離が長くなるような偏芯した縦断面略半円弧形状であるので、鍵片５２を施錠する方向に回動するに従い、外召合わせ框３２を内召合わせ框２２の方向に引きつけて、両框２２、３２の間を狭くし、気密性および水密性を高めることができる。
【００２８】
また、鍵片５２は、室外側の端部が幅狭で、室内側に近づくにつれて幅広となる形状を有しているので、鍵片５２を施錠する方向に回動するに従い、外障子３０を図１の左方向に押しやり、内障子２０を図１の右方向に押しやることで、内障子２０および外障子３０を引き分けることができるので、障子２０、３０と枠体１０との隙間を狭くし、気密性および水密性を高めることができる。
【００２９】
また、鍵片５２が、鍵受け６０の係合部６２に係合され施錠された際において、窓部２８の隙間を塞ぐ部材を、レバー部５５の側面における支軸５４の近傍に設けることができる。これにより、内外の障子２０、３０が閉まった状態において、窓部２８に隙間が生じる場合に、これを塞ぐことができ、開口部装置１００の気密性および水密性をさらに向上させることができる。
【００３０】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３１】
【図１】本発明の一実施態様の開口部装置１００を室内側から見た状態を示す斜視図である。
【図２】図１において、施錠装置４０の箇所を拡大して示した、斜視図である。
【図３】図２において、内召合わせ框２２を取り外して鍵本体５０を露出させた、斜視図である。
【図４】図２において、内召合わせ框２２および外召合わせ框３２を取り外して、鍵本体５０および鍵受け６０を露出させた、斜視図である。
【図５ａ】開錠状態の鍵本体５０を、図１の左方向から見た側面図である。
【図５ｂ】施錠状態の鍵本体５０を、図１の左方向から見た側面図である。
【図６】内召合わせ框２２を室外方向から見た斜視図である。
【図７】外召合わせ框３２を室内方向から見た斜視図である。
【符号の説明】
【００３２】
１０  枠体
２０  内障子
２２  内召合わせ框
２４  内召合わせ框の室外側面
２６  内召合わせ框の室内側面
２８  窓部
３０  外障子
３２  外召合わせ框
３４  外召合わせ框の室内側面
３６  外召合わせ框の側面
４０  施錠装置
４２  操作窓
４４  蓋材
４６  鍵
５０  鍵本体
５１  固定金具
５２  鍵片
５３  台座
５４  支軸
５５  レバー部
６０  鍵受け
６１  固定金具
６２  係合部
６４  操作窓
７０  開閉手段
７１  固定金具
７２  固定部材
７４  移動部材
７４ａ、７４ｂ  ガイド板
７４ｃ  シャッター
７６  突片
７７  固定金具
１００  開口部装置
【図１】
2006118133.tif 000003
【図２】
2006118133.tif 000004
【図３】
2006118133.tif 000005
【図４】
2006118133.tif 000006
【図５ａ】
2006118133.tif 000007
【図５ｂ】
2006118133.tif 000008
【図６】
2006118133.tif 000009
【図７】
2006118133.tif 000010